(57)【要約】【課題】端子プラグを端子コネクタに脱落しにくい状態で結合させることができる、端子コネクタの掛止構造の提供。【解決手段】外殼体３１を備え、外殼体の２つの相対する面に開口部３２及び端子ピン３３をそれぞれ設け、そのうち、外殼体の一表面上に少なくとも１つの押圧フック部材３４を設置し、押圧フック部材の背面中間部を下方向に延伸し外殼体表面に接続した接続部３５を設け、押圧フック部材の両端にフック端３６及び押圧端３７をそれぞれ設置し、フック端の背面を下方向に延伸してフック部３８を形成し、フック部を開口部箇所に突出させ、これにより、端子コネクタ３の開口部に端子プラグ４を対応させて挿入したとき、端子コネクタの押圧フック部材が端子プラグの一端を掛止し、端子プラグが端子コネクタから抜け落ちにくい状態で結合される。【選択図】図４
0003126073.tif 000002
【実用新案登録請求の範囲】
【請求項１】
端子コネクタの掛止構造であって、外殼体を備え、前記外殼体の２つの相対する面に開口部及び端子ピンをそれぞれ設け、そのうち、前記外殼体の一表面上に少なくとも１つの押圧フック部材を設置し、前記押圧フック部材の背面中間部を下方向に延伸し前記外殼体表面に接続した接続部を設け、前記押圧フック部材の両端にフック端及び押圧端をそれぞれ設置し、前記フック端の背面を下方向に延伸してフック部を形成し、前記フック部を前記開口部箇所に突出させることを特徴とする、端子コネクタの掛止構造。
【請求項２】
前記端子コネクタの外殼体上に２つの押圧フック部材を設けた、請求項１に記載の端子コネクタの掛止構造。
【考案の詳細な説明】
【技術分野】
【０００１】
本考案は端子コネクタに関し、特に、前記端子コネクタの開口部に端子プラグが対応して挿入され、前記端子コネクタの押圧フック部材が前記端子プラグの一端を掛止し、前記端子プラグと前記端子コネクタを結合させたとき脱落しにくい、端子コネクタの掛止構造に関する。
【背景技術】
【０００２】
図１及び図２に従来の端子コネクタの立体図及び端子プラグとの結合図をそれぞれ示す。これらの図に示すように、前記端子コネクタ１は外殼体１１を備え、前記外殼体１１の２つの相対する面に開口部１２及び端子ピン１３がそれぞれ設けられ、前記端子コネクタ１の開口部１２に端子プラグ２が対応して挿入され（図２参照）、一般的に、前記端子コネクタ１と前記端子プラグ２を対応させて連結すると、端子ピン１３を介して電気的接続が形成され、電気信号の伝達という目的を達することができる。しかしながら、従来の端子コネクタ１と端子プラグ２は脱落防止構造の設計が施されておらず、使用者が使用する過程において、往々にして不適切な引っ張りにより端子コネクタ１と端子プラグ２が徐々に緩み抜け落ちてしまい、データ伝送の過程においてエラーメッセージが発生し、使用者が知らず知らずのうちに誤った判断を下してしまうことがあるため、端子コネクタ１と端子プラグ２の連結関係を強化することができれば、従来の端子コネクタが抜け落ちやすいために電気的接続の不良が発生する等の問題を克服することができる。
【考案の開示】
【考案が解決しようとする課題】
【０００３】
上述の端子コネクタの欠点に鑑みて、本考案の考案者はその不完全さに感じ入り、その関連産業における長年の経験に基づき研究を重ね、前記端子コネクタの開口部に端子プラグを対応させて挿入したとき、前記端子コネクタの押圧フック部材で前記端子プラグの一端を掛止し、前記端子プラグを前記端子コネクタに脱落しにくい状態で結合させることができる、端子コネクタの掛止構造の開発に至った。
【０００４】
本考案の主な目的は、前記端子プラグを前記端子コネクタに脱落しにくい状態で結合させることができる、端子コネクタの掛止構造を提供することにある。
【課題を解決するための手段】
【０００５】
上述の目的を達するため、本考案は次のように実現される。本考案の端子コネクタの掛止構造は、外殼体を備え、前記外殼体の２つの相対する面に開口部及び端子ピンをそれぞれ設け、前記外殼体の一表面上に少なくとも１つの押圧フック部材を設置し、前記押圧フック部材の背面中間部を下方向に延伸し前記外殼体表面に接続する接続部を設け、前記押圧フック部材の両端にフック端及び押圧端をそれぞれ設置し、前記フック端の背面を下方向に延伸してフック部を形成し、前記フック部を前記開口部の箇所に突出させ、これにより、前記端子コネクタの開口部に端子プラグを対応させて挿入したとき、前記端子コネクタの押圧フック部材が前記端子プラグの一端を掛止し、前記端子プラグが前記端子コネクタに抜け落ちにくい状態で結合される。
【考案を実施するための最良の形態】
【０００６】
以下、本考案の目的、特徴及び効果についてより深い理解を促すため、具体的な実施形態と図面に基づき、本考案について詳細に説明する。
［実施形態１］
【０００７】
図３、図４に本考案の立体図及び端子プラグとの結合図をそれぞれ示す。これらの図に示すように、前記端子コネクタ３は外殼体３１を備え、前記外殼体３１の２つの相対する面に開口部３２及び端子ピン３３をそれぞれ設け、そのうち、前記外殼体３１の一表面上に押圧フック部材３４を設置し、前記押圧フック部材３４の背面中間部を下方向に延伸し前記外殼体３１表面に接続する接続部３５を設け、前記押圧フック部材３４の両端にフック端３６及び押圧端３７をそれぞれ設置し、前記フック端３６の背面を下方向に延伸し、前側に斜面を有するフック部３８を形成し、前記フック部３６を前記開口部３２の箇所に突出させ、前記押圧端３７の表面に複数の滑り止め突起３９を設置する。前記端子コネクタ３の開口部３２に端子プラグ４を対応させて挿入する（図４参照）と、前記押圧フック部材３４のフック部３８が前記端子プラグ４の一端を掛止し、前記端子プラグ４が前記端子コネクタ３に抜け落ちにくい状態で結合され、前記端子プラグ４と端子コネクタ３を分離するときは、前記押圧フック部材３４の押圧端３７を押すと、前記押圧フック部材３４のフック端３６が持ち上がり、前記端子プラグ４を前記端子コネクタ３の開口部３２から抜き取ることができる。
［実施形態２］
【０００８】
また、図５、図６に本考案の押圧フック部材の別の実施形態の立体図及びその端子プラグとの結合図をそれぞれ示す。これらの図に示すように、前記端子コネクタ３及び押圧フック部材３４の基本構造は同じであるが、前記押圧フック部材３４の押圧端３７の表面に滑り止め突起を設けなくとも、下方向に押すと簡単にフック端３６を持ち上げることができ、前記端子プラグ４を楽に抜き取ることができる。
［実施形態３］
【０００９】
さらに、図７、図８に本考案の押圧フック部材のさらに別の実施形態の立体図及びその端子プラグとの結合図をそれぞれ示す。これらの図に示すように、前記端子コネクタ３及び押圧フック部材３４の基本構造は同じであるが、前記端子コネクタ３の外殼体３１上に２つの押圧フック部材３４を設けてもよく、これら２つの押圧フック部材３４は主に前記端子プラグ３に対する保持力を強化するための設計であり、前記端子プラグ４に前記両２つの対称の押圧フック部材３４の保持力を平均的に受けさせることができる。
【００１０】
本考案の構造設計により、前記端子コネクタの開口部に端子プラグを対応させて挿入し、前記端子コネクタの押圧フック部材で前記端子プラグの一端を掛止させ、前記端子プラグを前記端子コネクタから抜け落ちにくい状態で結合させることができる。
【００１１】
上述のように、本考案の端子コネクタの掛止構造の設計は、これまでにない初めての応用であり、その構成は簡単かつ実用的で、実用新案登録の実用性及び進歩性を満たしていると同時に、合理的な創作であるため、法に基づきここに実用新案登録を出願するものである。
【図面の簡単な説明】
【００１２】
【図１】従来の端子コネクタの立体図である。
【図２】従来の端子コネクタと端子プラグを結合させた状態の立体図である。
【図３】本考案の立体図である。
【図４】本考案の端子コネクタと端子プラグを結合させた状態の立体図である。
【図５】本考案の押圧フック部材の実施形態２の立体図である。
【図６】図５の端子コネクタと端子プラグを結合させた状態の立体図である。
【図７】本考案の押圧フック部材の実施形態３の立体図である。
【図８】図７の端子コネクタと端子プラグを結合させた状態の立体図である。
【符号の説明】
【００１３】
１…端子コネクタ
１１…外殼体
１２…開口部
１３…端子ピン
２…端子プラグ
３…端子コネクタ
３１…外殼体
３２…開口部
３３…端子ピン
３４…押圧フック部材
３５…接続部
３６…フック端
３７…押圧端
３８…フック部
３９…滑り止め突起
４…端子プラグ
【図１】
0003126073.tif 000003
【図２】
0003126073.tif 000004
【図３】
0003126073.tif 000005
【図４】
0003126073.tif 000006
【図５】
0003126073.tif 000007
【図６】
0003126073.tif 000008
【図７】
0003126073.tif 000009
【図８】
0003126073.tif 000010